(57)【要約】【課題】ペン芯装着孔４ａに対してペン芯５が奥まった位置にあっても、空気溝５ｄから出てきた気泡３０ａが、ペン芯５の後端部からペン芯装着孔４ａの後端まで進む際に、ペン芯装着孔４ａの内面に付着しにくい構造のインキ吸入式万年筆を提供する。【解決手段】ペン芯装着孔４ａにおけるペン芯５の後端より後方で開口するよう形成した開口凹部４ｂの内面に、ペン芯５の後端部からペン芯装着孔４ａの後端部まで軸心に沿って形成したリブ４ｆを放射状に複数設け、且つ中芯９の前端部に設けた前方当接部１２を弾性材で形成することにより、前方当接部１２をペン芯装着孔４ａの内面に当接させた際に前方当接部１２の外面をペン芯装着孔４ａのリブ形状に沿って変形させると共に、前方当接部１２の外面とペン芯装着孔４ａの開口凹部４ｂの内面とを密着させ、インキタンク３ａを密閉させる。【選択図】図９
2010149379.tif 000002
【特許請求の範囲】
【請求項１】
ペン芯を配したペン芯装着孔と、該ペン芯装着孔に連設した大径空間部と当該大径空間部の後方に連設した小径空間部とを有するインキタンクを軸筒内に設け、前記インキタンク内に当該インキタンクの後部を密閉する保持部に設けた中芯保持孔へ摺動可能に密嵌させた中芯を配すると共に、該中芯の前端部に先細形状の前方当接部を設け、前記中芯を前方へ移動させることにより該前方当接部を前記ペン芯装着孔の内面に当接させて前記インキタンクを密閉可能とし、且つ前記前方当接部の後方に、前記インキタンクの小径空間部の内面と密着し且つ前記インキタンクの大径部と隙間が生じる外周部と、前記中芯を遊嵌させて流体が通過する流体流通路とを有した移動弁を設け、前記移動弁の後方に、前記中芯の前方への移動に伴い該移動弁に当接して当該移動弁の後方への移動を規制すると共に前記流体流通路を遮断する後方当接部を設け、前記移動弁が前記インキタンクの小径空間部にある状態から前進させることにより、前記移動弁の流体流通路を後方当接部で遮断して小径空間部を負圧状態とし、さらに前記移動弁を前記インキタンクの大径空間部へ前進させることにより、負圧状態にある前記インキタンクの小径空間部と前記ペン芯とを前記移動弁の外周部と前記インキタンクの大径空間部の内面との隙間で連通させ、当該インキタンク内にインキを吸入する構造のインキ吸入式万年筆において、前記ペン芯装着孔における前記ペン芯の後端より後方で開口するよう形成した開口凹部の内面に、前記ペン芯の後端部から当該ペン芯装着孔の後端部まで軸心に沿って形成したリブを放射状に複数設け、且つ前記中芯の前端部に設けた前方当接部を弾性材で形成することにより、該前方当接部を前記ペン芯装着孔の内面に当接させた際に当該前方当接部の外面を前記ペン芯装着孔のリブ形状に沿って変形させると共に、当該前方当接部の外面と前記ペン芯装着孔の開口凹部の内面とを密着させ、前記インキタンクを密閉させることを特徴としたインキ吸入式万年筆。
【請求項２】
前記ペン芯装着孔の開口凹部に、前記ペン芯に連設する直進部と拡径部とを、角部となる連接部にて連接して形成し、前記前方当接部を前記ペン芯装着孔の開口凹部に当接させた際に、当該前方当接部の外面を前記開口凹部の連接部に対して当接させることを特徴とした請求項１に記載のインキ吸入式万年筆。
【発明の詳細な説明】
【技術分野】
【０００１】
本発明は、軸筒内にインキタンクを備えた万年筆に関し、詳細には、インキタンク内の中芯に付設した移動弁を前進させることによりインキタンク内を負圧とし、ペン芯からインキを吸入する構造のインキ吸入式万年筆に関する。
【背景技術】
【０００２】
従来より、特開２００１−３４７７８６号公報に記載の万年筆のように、軸筒内にインキタンクを形成したインキタンクの容積が大きい万年筆では、インキタンクとペン芯とを遮断する構造が重要視されている。理由として、インキタンクの容積が大きいと内在する空気の量が多くなり、気温が高くなったり気圧が低下することによって変化するインキタンク内の空気の膨張量も大きくなることから、ペン芯に溜まったインキをインキタンク内の膨張した空気が押し出してインキ漏れを生じさせることがあるためである。
【０００３】
したがって特開２００１−３４７７８６号公報に記載の万年筆では、未使用時においてはインキタンク内の中芯を前進させ、中芯の先端に設けた前方当接部を軸筒前方に配したペン芯装着孔に当接させることにより、外部と連通しているペン芯の空気溝やインキ溝とインキタンクを遮断して、インキ漏れの防止を行っている。また筆記時においては中芯を若干後退させ、前方当接部をペン芯やペン芯装着孔から離間させた状態にして、ペン芯へのインキ流入を可能としてあり、結果的に筆記時において前方当接部や移動弁がペン芯に近い状態となる。
【０００４】
また、前述のようなインキ吸入式万年筆では、ペン芯の空気溝から発生してくる気泡が付着しにくいように、中芯の前方部にある前方当接部を先細形状に形成することが多い。この場合、ペン芯装着孔に対してペン芯の後端部を没入させた状態で配することで、中芯に設けた前方当接部をペン芯装着孔に当接させた状態において、前方当接部の前端部を中芯装着孔の内部に没入させる構造としている。しかしながら、前方当接部の先端には確かに気泡が付着しにくくなるが、ペン芯装着孔に対してペン芯が奥まった位置にあるため、空気溝から出てきた気泡がペン芯の後端部からペン芯装着孔の後端まで進む際に、ペン芯装着孔の内面に付着しやすく、インキタンクの後方へ進むことなく、徐々に気泡がペン芯装着孔の内面に付着して大きくなることでインキの流出を阻害し、筆記を妨げる場合があった。尚、気泡がペン芯装着孔の内面に付着しやすい理由としては、ペン芯装着孔を有する部材は一般的に樹脂成形されたものであり、樹脂は気泡と同じくインキ濡れ性が悪いことから双方が馴染みやすく、ペン芯装着孔の気泡が樹脂製のペン芯装着孔の内面に引き寄せられて付着するという現象を生ずるためである。このようにして付着した気泡は、ペン芯装着孔の内面に馴染んでいるため、筆記による振動では離れにくい状態となり、連続筆記で気泡が大きく溜まってしまっていた。
【特許文献１】「特開２００１−３４７７８６号公報」
【発明の開示】
【発明が解決しようとする課題】
【０００５】
本発明はこうした問題を鑑みて、ペン芯装着孔に対してペン芯が奥まった位置にあっても、空気溝から出てきた気泡が、ペン芯の後端部からペン芯装着孔の後端まで進む際に、ペン芯装着孔の内面に付着しにくい構造のインキ吸入式万年筆を提供することを目的とする。
【課題を解決するための手段】
【０００６】
本発明は、
「１．ペン芯を配したペン芯装着孔と、該ペン芯装着孔に連設した大径空間部と当該大径空間部の後方に連設した小径空間部とを有するインキタンクを軸筒内に設け、前記インキタンク内に当該インキタンクの後部を密閉する保持部に設けた中芯保持孔へ摺動可能に密嵌させた中芯を配すると共に、該中芯の前端部に先細形状の前方当接部を設け、前記中芯を前方へ移動させることにより該前方当接部を前記ペン芯装着孔の内面に当接させて前記インキタンクを密閉可能とし、且つ前記前方当接部の後方に、前記インキタンクの小径空間部の内面と密着し且つ前記インキタンクの大径部と隙間が生じる外周部と、前記中芯を遊嵌させて流体が通過する流体流通路とを有した移動弁を設け、前記移動弁の後方に、前記中芯の前方への移動に伴い該移動弁に当接して当該移動弁の後方への移動を規制すると共に前記流体流通路を遮断する後方当接部を設け、前記移動弁が前記インキタンクの小径空間部にある状態から前進させることにより、前記移動弁の流体流通路を後方当接部で遮断して小径空間部を負圧状態とし、さらに前記移動弁を前記インキタンクの大径空間部へ前進させることにより、負圧状態にある前記インキタンクの小径空間部と前記ペン芯とを前記移動弁の外周部と前記インキタンクの大径空間部の内面との隙間で連通させ、当該インキタンク内にインキを吸入する構造のインキ吸入式万年筆において、前記ペン芯装着孔における前記ペン芯の後端より後方で開口するよう形成した開口凹部の内面に、前記ペン芯の後端部から当該ペン芯装着孔の後端部まで軸心に沿って形成したリブを放射状に複数設け、且つ前記中芯の前端部に設けた前方当接部を弾性材で形成することにより、該前方当接部を前記ペン芯装着孔の内面に当接させた際に当該前方当接部の外面を前記ペン芯装着孔のリブ形状に沿って変形させると共に、当該前方当接部の外面と前記ペン芯装着孔の開口凹部の内面とを密着させ、前記インキタンクを密閉させることを特徴としたインキ吸入式万年筆。
２．前記ペン芯装着孔の開口凹部に、前記ペン芯に連設する直進部と拡径部とを、角部となる連接部にて連接して形成し、前記前方当接部を前記ペン芯装着孔の開口凹部に当接させた際に、当該前方当接部の外面を前記開口凹部の連接部に対して当接させることを特徴とした１項に記載のインキ吸入式万年筆。」である。
【０００７】
中芯の前端部に設ける前方当接部は、ゴムやエラストマーや合成樹脂等よりなる弾性材で形成すればよく、その弾力性は、当接させるペン芯装着孔に設けたリブの形状や高さに応じて軟らかくしたり硬くしたり、適宜選定を行えばよい。ペン芯装着孔の拡径部に放射状に複数設けるリブは、拡径部の直径に応じて数を設定すればよいが、少なくともペン芯の空気溝から生じた気泡が通過する位置にリブが配置される状態に設定することが肝要である。また、リブの先端形状を円弧面やテーパー面に形成することで、前方当接部をペン芯装着孔に当接させた際に、弾性材である前方当接部の外面がリブの外形形状に沿って変形することを促し、前方当接部と拡径部との密着状態を向上させることができる。
【発明の効果】
【０００８】
本発明のインキ吸入式万年筆は、ペン芯装着孔の内面がインキ濡れ性が悪い樹脂製であっても、ペン芯装着孔における開口凹部に形成したリブの根本に発生する毛管力によりインキを強く吸引して保持することから、リブの根本に保持されたインキが気泡と開口凹部の間に介在して、気泡が開口凹部の内面にはり付くことを防止し、滑らかに気泡がインキタンクの後方へ進んで、インキの流出が途切れることなく連続した筆記が行えるものとなった。また、万年筆のペン先を上方へ向けた状態、つまりインキがインキタンクの小径空間部の後端側に溜まった状態から、筆記を行うために軸筒を反転させてペン先を下方へ向けた時には、ペン芯装着孔に形成したリブの毛管力で、インキタンクの小径空間部にあったインキをペン芯まで滑らかに移動させることができるものとなった。
【０００９】
また、２項に係る発明では、前述の効果を奏すると共に、中芯の前端部に設けた前方当接部と開口凹部の角部である連接部とが線接触することから、前方当接部をペン芯装着孔に押し付ける際の力が少なくて済むので操作性がよく、また前後方向に軸心に沿って長く形成したリブの一部に対して前方当接部の一部が接触することになるので、リブ形状に沿った前方当接部の弾性変形が容易に行われ、前方当接部の材質の適用範囲を広くできるものとなった。
【発明を実施するための最良の形態】
【００１０】
ペン芯装着孔の開口凹部に形成したリブの根本に発生する毛管力によりインキを強く吸引して保持することから、ペン芯装着孔の内面がインキ濡れ性が悪い樹脂製であっても、インキ濡れ性が悪い空気の性質を利用して、リブの根本に保持されたインキによって気泡が付着しないように離反させ、気泡がペン芯装着孔の内面にはり付くことを防止して、インキの流出を途切れさせることなく、連続した筆記が行えるインキ吸入式万年筆を実現した。
【実施例】
【００１１】
次に図面を参照しながら本実施例の説明を行う。本実施例の説明においては、ペン先の方向を前方と表現し、その反対側を後方と表現する。また、軸筒の軸心を基準にペン先がある側を上方と表現し、その反対側を下方と表現する。図中の同じ部材、同じ部品については、同じ符号としてある。尚、本発明は以下の実施例に限定されるものではない。
【００１２】
図１は本実施例の万年筆の縦断面図で、図２は図１の要部拡大図である。万年筆１は軸筒２を軸筒本体３と首部材４とで構成してあり、首部材４の内部にペン芯５を装着するペン芯装着孔４ａを樹脂で一体成形してある。ペン芯５は、ペン芯本体５ａとペン芯本体５ａに形成した貫通孔に配した内芯５ｂとからなり、ペン芯本体５ａの側面と首部材４の内面との間にペン先６を挟持してある。尚、ペン芯本体５ａには流出入させるためのインキ溝５ｃを形成してあり、ペン芯本体５ａと内芯５ｂとの隙間で空気が通る空気溝５ｄを形成してある。また図２に詳細を示すように、ペン芯５を装着したペン芯装着孔４ａは、ペン芯５の後端より後方で開口させた開口凹部４ｂを設け、開口凹部４ｂには、ペン芯５に連設する直進部４ｃと拡径部４ｅとを、角部となる連接部４ｄにて連接して形成してある。また開口凹部４ｂの内面には、ペン芯装着孔４ａの後端部まで軸心に沿って形成したリブ４ｆを放射状に複数設けてある。図３は、図２のＡ−Ａ線の位置からペン芯装着孔４ａおよびペン芯５を見た状態の図である。
【００１３】
また、図１に示すように、ペン芯装着孔４ａと軸筒本体３の内部に設けたインキタンク３ａの大径空間部３ｂとを連設し、大径空間部３ｂの後方に小径空間部３ｃを連設してある。また、小径空間部３ｃの後部にはインキタンク３ａを密閉する保持部材７を螺着してあり、保持部材７に形成した中芯保持孔７ａにはＯリング８を配設し、インキタンク３ａ内に配した中芯９を摺動可能に密嵌させている。また中芯９の後端部には雄螺子部９ａを形成してあり、雄螺子部９ａを尾冠１０に形成した雌螺子部１０ａと螺合させて、尾冠１０の前後動に伴ってインキタンク３ａ内の中芯９が従動できるようにしてある。尚、尾冠１０の前端内面には雌螺子部１０ｂを形成してあり、保持部材７の後端外面に形成した雄螺子部７ｂと螺合可能にしてある。
【００１４】
また、図２で詳細を示すように、中芯９の先端には雄螺子部９ｂを形成してあり、雄螺子部９ｂに対して中芯９の前端に配した先部材１１の雌螺子部１１ａを螺合させ、先部材１１の前方部に形成した係合溝１１ｂに、弾性材であるウレタンで形成した前方当接体１２の貫通孔１２ａ側へ形成した膨出部１２ｂを係合させて固定してある。本実施例では先部材１１の側面に複数放射状の突起部１１ｄを形成してあり、移動弁１３に形成した前後を貫通する流体流通路１３ａへ先部材１１を挿通させると共に、移動弁１３の前方への移動を突起部１１ｄで規制してある。尚、先部材１１の先端には円錐部１１ｃを形成してあり、円錐部１１ｃと前方当接体１２の表面が一体的に連続する形態としてある。
また、後方当接部１４ａを有した後方当接体１４は、貫通孔１４ｂに中芯９の雄螺子部９ｂを挿着すると共に、先部材１１の後端部と中芯本体９ｃとの間に挟持させ、移動弁１３の後方への移動を後方当接体１４の後方当接部１４ａによって規制してある。したがって移動弁１３は、先部材１１の突起部１１ｄと後方当接体１４の後方当接部１４ａとの間で前後動可能としてある。
また図１，図２に示す状態は、インキタンク３ａ内にインキ（図示せず）が収容された状態であっても、前方当接体１４がペン芯装着孔４ａの角部である連接部４ｄに当接すると共に、前方当接体１４が弾性材であることから、開口凹部４ｂの内部に形成したリブ４ｆの形状に変形して、インキタンク３ａ内を外部から遮断してインキ漏れを防止した状態となっている。
【００１５】
次に図４，図５を用いて、インキタンクにインキを吸入する際の説明を簡単に行う。図４は尾冠を引いている状態の断面図で、図５は図４の要部断面図である。図４に示すように尾冠１０を保持部材７から螺脱して後方へ引くことにより、中芯９を後退させて移動弁１３をインキタンク３ａの小径空間部３ｃへ移動させると、図５に示すように、移動弁１３の外周部１３ｄが小径空間部３ｃの内面に密着し、移動弁１３の流体通路１３ａの内部に形成した突起部１３ｂが先部材１１の突起部１１ｄに当接した状態で後退する。この際、移動弁１３の後端部１３ｃは、後方当接体１４の後方当接部１４ａと離間しており、インキがなくなり空となった小径空間部３ｃ内の空気は、複数放射状に配列した突起部１１ｄ間を通って流体流通路１３ａを通過するので、インキタンク３ａ内の圧力が変化することなく、移動弁１３をインキタンク３ａの後端まで後退させることができる。
【００１６】
図６はペン芯をインキ瓶のインキに入れて尾冠を押している状態の図で、図７は図６の要部断面図である。図８は図７の状態からさらに尾冠を前進させた状態である。図６に示すように尾冠１０を前進させることにより、インキタンク３ａの小径空間部３ｃの内面に密着した移動弁１３の後端部１３ｃが後方当接体１４の後方当接部１４ａに当接して、移動弁１３の流体流通路１３ａを遮断し、気密状態の小径空間部３ｃを負圧状態とする。この状態から図８に示すように、さらに移動弁１３を大径空間部３ｂまで前進させることにより、移動弁１３の外周部１３ｄが大径空間部３ｂの内面と離間して隙間を生じさせ、図６に示したインキ瓶２００のインキ２０をペン芯５から吸入し、負圧状態となっている小径空間部３ｃへ向かって吸い上げる構造である（図８参照）。
【００１７】
次に、本実施例の万年筆における筆記時のインキタンク内の説明を行う。図９は筆記を行っている状態の要部断面図である。筆記状態においてインキタンク３ａ内のインキ２０は、ペン芯５のインキ溝５ｃから流出し、インキ２０の吐出分２０ａだけ空気３０が空気溝５ｄから入る構造である。したがって図９に示すように、空気溝５ｄから入ってくる空気は気泡３０ａとなり、浮力でインキタンク３ａの上部を通りながら後方へ向かう。本実施例では、開口凹部４ｂの内面に形成した複数のリブ４ｆによって、気泡３０ａが開口凹部４ｂの内面に付着することなく、インキタンク３ａの上部を通過しながら後方へ進むことができた。図１０は本実施例の開口凹部の詳細を示すもので、開口凹部４ｂと気泡３０ａとの関係を模式的に断面で示したものである。リブ４ｆの毛管力で強く引き寄せられたインキ２０ｂが開口凹部４ｂと気泡３０ａの間に介在することで、気泡３０ａが開口凹部４ｂへのはり付きを防止するため、気泡３０ａが開口凹部４ｂな内面に付着することはなかった。
【００１８】
次に比較例として、従来構造の吸入式の万年筆における筆記時のインキタンク内の説明を行う。図１１は従来構造の万年筆における要部断面図である。前述の本実施例と異なる点は、開口凹部４ｂの内面にリブを形成していない点である。図１１に示すように比較例では、空気溝５ｄから発生した気泡３０ａが樹脂成形による開口凹部４ｂの内面に付着し、隙間が狭い開口凹部４ｂの連接部４ｄと先部材の円錐部１１ｃおよび前方当接体１２との間に、気泡３０ａが溜まってしまい、連続筆記により図１２のような状態となり、インキタンク３ａ内のインキ２０がペン芯５と隔離され、インキ２０の流出を阻害してしまった。
【産業上の利用可能性】
【００１９】
本発明は、万年筆のペン先以外でも、特開平８−５２９７７号公報に示されるような、複数の薄板材を重ね合わせて微小隙間状のインク流路を先端部から後端部まで全長に渡って形成したペン先を有する筆記具にも適用できる。
【図面の簡単な説明】
【００２０】
【図１】本実施例の万年筆の縦断面図である。
【図２】図１の要部拡大図である。
【図３】図２のＡ−Ａ線の位置からペン芯装着孔およびペン芯を見た状態の図である。
【図４】尾冠を引いている状態の断面図である。
【図５】図４の要部断面図である。
【図６】ペン芯をインキ瓶のインキに入れて尾冠を押している状態の図である。
【図７】図６の要部断面図である。
【図８】図７の状態からさらに尾冠を前進させた状態である。
【図９】筆記を行っている状態の要部断面図である。
【図１０】本実施例の開口凹部の詳細を示すものである。
【図１１】従来構造の万年筆における要部断面図である。
【図１２】従来構造の万年筆にて連続筆記を行っている状態の要部断面図である。
【符号の説明】
【００２１】
１…万年筆、２…軸筒、
３…軸筒本体、３ａ…インキタンク、３ｂ…大径空間部、３ｃ…小径空間部、
４…首部材、４ａ…ペン芯装着孔、４ｂ…開口凹部、４ｃ…直進部、
４ｄ…連接部、４ｅ…拡径部、４ｆ…リブ、
５…ペン芯、５ａ…ペン芯本体、５ｂ…内芯、５ｃ…インキ溝、５ｄ…空気溝、
６…ペン先、
７…保持部材、７ａ…中芯保持孔、７ｂ…雄螺子部、
８…Ｏリング、
９…中芯、９ａ…雄螺子部、９ｂ…雄螺子部、９ｃ…中芯本体、
１０…尾冠、１０ａ…雌螺子部、１０ｂ…雌螺子部、
１１…先部材、１１ａ…雌螺子部、１１ｂ…係合溝、１１ｃ…円錐部、
１１ｄ…突起部、
１２…前方当接体、１２ａ…貫通孔、１２ｂ…膨出部、
１３…移動弁、１３ａ…流体流通路、１３ｂ…突起部、１３ｃ…後端部、
１３ｄ…外周部、
１４…後方当接体、１４ａ…後方当接部、１４ｂ…貫通孔、
２００…インキ瓶、
２０…インキ、２０ａ…吐出分、２０ｂ…リブの毛管力で強く引き寄せられたインキ、
３０…空気、３０ａ…気泡。
【図１】
2010149379.tif 000003
【図２】
2010149379.tif 000004
【図３】
2010149379.tif 000005
【図４】
2010149379.tif 000006
【図５】
2010149379.tif 000007
【図６】
2010149379.tif 000008
【図７】
2010149379.tif 000009
【図８】
2010149379.tif 000010
【図９】
2010149379.tif 000011
【図１０】
2010149379.tif 000012
【図１１】
2010149379.tif 000013
【図１２】
2010149379.tif 000014